(57)【要約】【課題】被滅菌物を収納して滅菌を行うチャンバーに、途中に手動により開閉操作を行なう排水弁を接続した排水管を連結したものにおいて、排水弁の誤操作による蒸気の噴出を防止する事を目的とするものである。【解決手段】被滅菌物を収納して滅菌を行うチャンバー８と、チャンバー８の開口部を密閉する蓋３と、チャンバー８内に蒸気を供給／又はチャンバー８内で蒸気を発生する蒸気発生手段となるヒータ１０と、ヒータ１０等を制御する制御手段２１と、チャンバー８に連結され、かつ途中に手動により開閉する排水弁２４を接続した排水管２５とを備え、排水弁２４に、排水弁２４を手動操作するハンドル２７及びプランジャー軸をハンドルの回動範囲内に出入自在に構成したプランジャー３１で構成されるロック手段を設け、制御手段２１は、チャンバー８内を加圧時には、プランジャー３１により排水弁２４のハンドル２７の開閉操作を阻止する様に構成する。【選択図】        図２
2011152466.tif 000002
【特許請求の範囲】
【請求項１】
被滅菌物を収納して滅菌を行うチャンバーと、このチャンバーの開口部を密閉する蓋と、上記チャンバー内に蒸気を供給／又はチャンバー内で蒸気を発生する蒸気発生手段と、この蒸気発生手段等を制御する制御手段と、上記チャンバーに連結され、かつ途中に手動により開閉する排水弁を接続した排水管とを備えたものにおいて、上記排水弁に、上記排水弁を手動操作するハンドル及びプランジャー軸を上記ハンドルの回動範囲内に出入自在に構成したプランジャーで構成されるロック手段を設け、上記制御手段は、少なくともチャンバー内を加圧時には、上記プランジャーにより排水弁のハンドルの開閉操作を阻止する様に構成した事を特徴とする蒸気滅菌器。
【請求項２】
上記チャンバー内の圧力を検出する圧力センサを設け、上記制御手段は、圧力センサにて検出するチャンバー内の圧力が冷却工程時に大気圧に低下すると、ハンドルの開閉操作を可能とする様に構成した事を特徴とする、上記請求項１に記載の蒸気滅菌器。
【請求項３】
上記制御手段は、冷却工程の終了時または滅菌動作が終了して蓋が開放された後にハンドルの操作を可能とする様に構成した事を特徴とする、上記請求項１に記載の蒸気滅菌器。
【発明の詳細な説明】
【技術分野】
【０００１】
本発明は、主に培地の滅菌やレトルト食品の殺菌に用いる蒸気滅菌器に関する。
【背景技術】
【０００２】
培地の滅菌等を行う理化学用の蒸気滅菌器や、調理済み食品を軟質の包装容器に収納したレトルト食品を加熱殺菌する滅菌器においては、例えば特許文献１に示される様に、被滅菌物を収納して滅菌処理を行うチャンバーの底に排水管を連結し、この配水管の途中に手動によって開閉操作する排水弁を接続している。
【先行技術文献】
【特許文献】
【０００３】
【特許文献１】特開２０００−２７９４９０号公報
【発明の概要】
【発明が解決しようとする課題】
【０００４】
一方、上記排水弁は、滅菌器の運転に関係なく常に開閉可能であり、滅菌工程等のチャンバー内が加圧状態の場合に誤って排水弁が開かれると、排水管より高温高圧の蒸気が噴出し、非常に危険であるという問題がある。
【０００５】
そこで本発明は、滅菌器の運転中には排水弁を開けない様にする事を目的とする。
【課題を解決するための手段】
【０００６】
本発明の請求項１の構成は、被滅菌物を収納して滅菌を行うチャンバーと、このチャンバーの開口部を密閉する蓋と、上記チャンバー内に蒸気を供給／又はチャンバー内で蒸気を発生する蒸気発生手段と、この蒸気発生手段等を制御する制御手段と、上記チャンバーに連結され、かつ途中に手動により開閉する排水弁を接続した排水管とを備えたものにおいて、上記排水弁に、上記排水弁を手動操作するハンドル及びプランジャー軸を上記ハンドルの回動範囲内に出入自在に構成したプランジャーで構成されるロック手段を設け、上記制御手段は、少なくともチャンバー内を加圧時には、上記プランジャーにより排水弁のハンドルの開閉操作を阻止する様に構成したものである。
【０００７】
本発明の請求項２の構成は、請求項１の構成において、上記チャンバー内の圧力を検出する圧力センサを設け、上記制御手段は、圧力センサにて検出するチャンバー内の圧力が冷却工程時に大気圧に低下すると、ハンドルの開閉操作を可能とする様に構成したものである。
【０００８】
本発明の請求項３の構成は、請求項１の構成において、上記制御手段は、冷却工程の終了時または滅菌動作が終了して蓋が開放された後にハンドルの操作を可能とする様に構成したものである。
【発明の効果】
【０００９】
本発明の請求項１に記載の構成により、排水弁に、少なくとも滅菌工程等のチャンバー内を加圧時には排水弁の開成操作を阻止するロック手段を設けたことで、滅菌工程時等のチャンバー内が加圧状態の時に、何らかの理由により誤って排水弁を開こうとしても、ロック手段により排水弁の開閉操作を阻止し、排水弁の開成による蒸気等の噴出を確実に防止する事が出来るものである。また、ロック手段を、ハンドルの回動範囲内に出入りするプランジャーで構成したことで、プランジャーの追加と制御手段の変更による、比較的簡単な構成にて排水弁の誤操作を確実に防止する事が出来るものである。
【００１０】
本発明の請求項２に記載の構成により、制御手段は、圧力センサにて検出するチャンバー内の圧力が冷却工程時に大気圧に低下すると、ハンドルの開閉操作を可能とする様に構成したので、手動操作により排水弁が開かれて高圧高温の蒸気が噴出するのを確実に防止することが出来るものである。
【００１１】
本発明の請求項３に記載の構成により、制御手段は、冷却工程の終了時または滅菌動作が終了して蓋が開放された後にハンドルの操作を可能とする様に構成したので、手動操作により排水弁が開かれて高圧高温の蒸気が噴出するのを確実に防止することが出来るものである。
【図面の簡単な説明】
【００１２】
【図１】本発明の実施例を示す斜視図である。
【図２】同じく一部の部品を取り外した状態の分解斜視図である。
【図３】同じく配管系統図である。
【図４】同じく要部の斜視図である。
【図５】同じく要部の動作説明用の斜視図である。
【図６】同じく動作を示す工程動作図である。
【図７】本発明の他の実施例を示す斜視図である。
【発明を実施するための形態】
【００１３】
本発明による実施例を先ず図１及び図２に基づき説明すると、１は主に培地等を滅菌する所謂理化学用の蒸気滅菌器の器具本体で、本体ケース２の上部に蓋３を上下方向に開閉自在に枢支していると共に、上記本体ケース２の底には移動用のキャスター４・・を装着し、同じく前面下部には排気タンク５を前面より着脱自在に収納し、同じく前面上部には針式の圧力計６を配置している。尚、上記蓋３はその後端部に装着した図示しないヒンジにて上下方向に開閉自在に枢支している。
【００１４】
又上記本体ケース２内には、上面を開口７した有底円筒状のチャンバー８を収納し、上記蓋３の内面に固定した蓋体９にて開口７を密閉する。
【００１５】
図３は配管系統図で、上記チャンバー８の内底部に、蒸気発生手段となるシーズヒータ等のヒータ１０を装着し、チャンバー８の側面には、圧力安全弁１１と、上記圧力計６に連結した圧力抜きパイプ１２と、途中に排気バルブ（電磁バルブ）１３を接続し、かつ先端を上記排気タンク５内の水中に開放した排気パイプ１４と、真空破壊弁１５とディジタル式の圧力センサ１６を接続した導出パイプ１７とを主に接続し、上記排気パイプ１４と導出パイプ１７の出口付近とチャンバー８の中間高さ位置には各々温度センサ１８，１９，２０を接続している。
【００１６】
２１はマイクロコンピュータ等にて構成した制御手段で、上記蓋３の天面に配置した操作部２２や圧力センサ１６、温度センサ１８，１９，２０からの入力や出力に基づいて、上記ヒータ１０や排気バルブ１３等への通電を予め設定した所定のシーケンスに従って制御するものである。
【００１７】
一方、上記チャンバー８の底面には、途中に電磁式の排水電磁弁２３と手動式の排水弁２４を直列に連結接続し、先端を上記本体ケース２前面の排気タンク５下方より突出した排水管２５を連結接続している。
【００１８】
そして上記排水弁２４は、図４にても示す様に、図示しない内蔵した排水バルブを回転操作して開閉する回転軸２６に、手動操作によりこの回転軸を回転操作するハンドル２７をナット２８により一体回転状態に固定し、このハンドルの一端に握り部２９を設けていると共に他端にロック部３０を設け、かつ上記ハンドル２７の握り部２９は、図１にても示す様に上記排気タンク５の下方に形成した凹溝３５内に露出して配置している。
【００１９】
又、上記ハンドル２７のロック部３０には、ハンドル２７の排水弁２４の開成方向側に対向位置してプランジャー３１のプランジャー軸３２を配置し、これらにてロック手段を構成している。
【００２０】
上記プランジャー３１のプランジャー軸３２はスプリング３３にて常時突出方向に付勢され、プランジャー３１に通電することで、図５にて示す様にプランジャー軸３２がハンドル２４のロック部３０対向位置より退避して、ハンドル２７の手動による開閉操作が可能となる。
【００２１】
ここで、理化学用の蒸気滅菌器を例に図６に基づき滅菌動作について説明すると、蓋３開けてチャンバー８の開口７より所定量の水を注水した後、チャンバー８内にダーラム管等の被滅菌物を収納して蓋３を閉じる。
【００２２】
その後、蓋３の天面に配置した操作部２２を操作して滅菌設定温度や排気温度等を設定した後、図示しないスタートボタンをオン操作することで、制御手段２１がこれらの入力操作を検出してＴ１にて滅菌動作を開始し、ヒータリレーをオンしてヒータ１０へ通電して加熱工程を開始すると同時に、図示しない蓋ソレノイドに通電して蓋３をロックする。
【００２３】
この時プランジャー３１へは通電されず、プランジャー軸３２がロック部３０に対向位置してハンドル２７の開閉操作を阻止している。
【００２４】
又、滅菌工程の開始に伴ってヒータ１０にてチャンバー８内底部の水を加熱してチャンバー８内に蒸気を発生し、チャンバー８内の空気や水分を排気バルブ１３より外部に排出し、チャンバー８内の温度が予め設定した所定回数沸点に到達すると排気バルブ１３を閉じて空気抜き工程を終了して加熱工程に移行する。
【００２５】
そして、加熱工程にてチャンバー８内の温度が滅菌設定温度に到達すると滅菌工程に移行し、制御手段２１にてヒータ１０をオン・オフ制御して滅菌動作を行い、滅菌設定時間がＴ２にて終了するとヒータリレーをオフしてヒータ１０への通電を停止すると同時に排気バルブ１３を開いて冷却工程に移行し、例えばＴ３にて圧力センサ１６にて検出するチャンバー８内の圧力が大気圧に低下すると、プランジャー３１に通電してプランジャー軸３２をロック部３０の対向位置より退避させ、ハンドル２７の開閉操作が可能となる。
【００２６】
これらの構成により、少なくともチャンバー８内が大気圧以上の場合には排水弁２４の開閉操作を阻止し、何らかの理由により滅菌工程中等に排水弁２４のハンドル２７が操作されても、プランジャー３１によりその回転操作を阻止し、排水弁２４の開放による高温高圧蒸気の噴出を防止する事が出来るものである。
【００２７】
尚、図２及び図３に示す実施例では排水弁２４に排水電磁弁２３を直列接続しているが、排水弁２４又は排水電磁弁２３のみ接続しても良く、排水電磁弁２３のみ接続した場合には、例えば図６に示す様に、制御手段２１により電源スイッチをオンしてからスタートボタンがオン操作される間と、冷却工程時にチャンバー８内の圧力が大気圧以下に低下以降に排水電磁弁２３を開く様に構成しても良く、この構成の場合にも、手動操作により排水管２５が開かれて高圧高温の蒸気が噴出することは無い。
【００２８】
これらの構成により、排水電磁弁２３を排水弁２４に直列接続すると共に、制御手段２１を少なくともチャンバー８内が大気圧以上の場合には排水電磁弁２３を閉じる様に構成したことで、チャンバー８内を加圧時に誤って排水管２５が開放されることがなく、誤操作による排水管の開放を確実に防止する事が出来るものである。
【００２９】
又、上記排水電磁弁２３を非通電時には内部通路を閉じる所謂常閉式に構成し、電源スイッチがオン操作されてからスタートボタンがオン操作される間や、冷却工程時にチャンバー８内が大気圧以下に低下した以降に排水電磁弁２３に通電して開く様に構成することで、排水電磁弁２３への通電による消費電力を低減し、無駄な電力消費を防止する事が出来るものである。
【００３０】
尚、上記実施例では冷却工程時にチャンバー８内の圧力が大気圧以下に低下すると排水管２５を開放可能に構成しているが、これに限定されるものではなく、冷却工程の終了時や滅菌動作が終了して蓋３が開放された後に排水管２５を開放できる様に構成しても良い。
【００３１】
図７は本発明の他の実施例を示すもので、排水弁２４のハンドル２７に、このハンドルの開閉操作を検出する検出スイッチ３３を設けたもので、上記排水電磁弁２３を非通電時には通路を開く常閉式に構成すると共に、上記制御手段２１を、上記検出スイッチ３３の出力にて排水弁２４の開閉操作を検出し、何らかの理由により誤ってチャンバー８内の圧力が大気圧以上の場合に排水弁２４が開かれると排水電磁弁２３に通電して排水管２５を閉じる様に構成することで、通常は排水電磁弁２３へ通電する必要がなく、排水電磁弁による電力の浪費を防止できるものである。
【００３２】
尚、上記検出スイッチ３３は、図示しないスイッチレバーをハンドル２７のロック部３０に対向位置し、ハンドル２７が排水弁２４の閉成位置の時にロック部３０にてスイッチレバーを作動して検出スイッチ３３をオン又はオフし、ハンドル２７が排水弁２４の開成方向に回転操作されるとロック部３０がスイッチレバーから離れることで検出スイッチ３３がオンからオフ／又はオフからオンに切り替わることでハンドル２７の操作を検出するが、検出スイッチ３３の構造や取り付け位置は実施例に限定されるものではなく、検出スイッチ３３をフォトインタラプタ等の光学スイッチやマグネットスイッチで構成しても良い。
【００３３】
又、誤操作により排水弁２４が開かれた場合には、排水電磁弁２３を閉じて排水管２５からの高温高圧蒸気の噴出を防止できるものである。
【符号の説明】
【００３４】
３    蓋
７    開口
８    チャンバー
１０  ヒータ（蒸気発生手段）
２１  制御手段
２３  排水電磁弁
２４  排水弁
２５  排水管
２７  ハンドル
３１  プランジャー（ロック手段）
【図１】
2011152466.tif 000003
【図２】
2011152466.tif 000004
【図３】
2011152466.tif 000005
【図４】
2011152466.tif 000006
【図５】
2011152466.tif 000007
【図６】
2011152466.tif 000008
【図７】
2011152466.tif 000009